(57)【要約】【課題】  本発明は、扉と仕切パネル間に指を挟む事態が生じても、けがをすることのない、トイレブース扉等の指詰め防止構造を提供する。【解決手段】  本発明の扉の指詰め防止構造は、扉１と扉取付面との間に所要の隙間が形成される扉開閉構造であって、扉１の取付側縁部４と、この取付側縁部４に対向する扉取付面側縁部５に、それぞれ長尺弾性部材７、７'を上下方向に取付けたもので、長尺弾性部材７、７'は、扉１を閉めた時に、互いに接触せず、かつ扉１の内外から相互に見通す隙間のない形状である。【選択図】  図１
2007085097.tif 000002
【特許請求の範囲】
【請求項１】
扉を閉めた時に、扉と扉取付面との間に所要の隙間が形成される扉開閉構造であって、扉の取付側縁部と、この取付側縁部に対向する扉取付面側縁部に、それぞれ長尺弾性部材を上下方向に取付けたことを特徴とする扉の指詰め防止構造。
【請求項２】
扉の取付側縁部と扉取付面側縁部に取付けた長尺弾性部材は、扉を閉めた時に、互いに接触せず、かつ扉の内外から見通す隙間のない形状である請求項１に記載の扉の指詰め防止構造。
【発明の詳細な説明】
【技術分野】
【０００１】
本発明は、扉の開閉構造、特には、トイレブース（パネル厚１０mm〜２０mm）用扉の指詰め防止構造に関する。
【背景技術】
【０００２】
従来、例えば、学校、病院、ホテル等の公共・商業施設等に設置されたトイレブース（パネル厚１０mm〜２０mm）に使用される扉の代表的な開閉構造の一例を、図４に示す。
この扉の開閉構造は、図に示すように、扉２１と仕切パネル２２とがヒンジ２３で回動自在に連結され、扉２１を開けた時に、扉２１と仕切パネル２２の扉取付面との間に間隙２６が形成される扉開閉構造であって、扉は矢印方向に動いて開閉できるようになっている。
【０００３】
この扉の開閉構造では、扉２１を閉じたとき、扉２１の取付側先端部と仕切パネルの扉取付面との間で、外部（図４で、左側）から内部を見通すことができないように、図示破線で示す扉２１の取付側先端部とこれに対向する仕切パネル２２の先端部が、互いに交差状になっているのが通常であり、しかもこれらの先端部は、通常、硬質材料で作られている。
【発明の開示】
【発明が解決しようとする課題】
【０００４】
このような構造において、扉を開いた状態で、扉２１と仕切パネル２２の扉取付面との間に間隙２６ができる開閉構造では、扉２１の開閉時に、扉２１の取付側辺縁部と仕切パネル２２に生じる間隙２６'に指を詰めてけがをするという問題があった。
特に、幼児連れの保護者が用を足す際に、保護者にまつわり付く幼児が、扉の外側に待機させられるのを嫌がって扉に手を掛けることが多々あり、その状態を知らずに、保護者が扉を閉めて、指を詰めてしまう等の事故の発生が見られた。
【０００５】
したがって、本発明は、上記の問題に鑑み、例え、扉と仕切パネル間に指を挟む事態が生じても、けがをすることのない、トイレブース等の扉の指詰め防止構造を提供することを課題とする。
【課題を解決するための手段】
【０００６】
本発明の扉の指詰め防止構造は、扉を閉めた時に、扉と扉取付面との間に所要の隙間が形成される扉開閉構造であって、扉の取付側縁部と、この取付側縁部に対向する扉取付面側縁部に、それぞれ長尺弾性部材を上下方向に取付けたことを特徴とする。
上記扉の指詰め防止構造において、扉の取付側縁部と扉取付面側縁部に取付けた長尺弾性部材は、扉を閉めた時に、互いに接触せず、かつ扉の内外から相互に見通す隙間のない形状である。
【発明の効果】
【０００７】
本発明の扉の指詰め防止構造によれば、扉の開閉時に、扉と扉取付面との間の隙間に指を挟んだとしても、けがをすることがなくなる。
【発明を実施するための最良の形態】
【０００８】
以下、図面を用いて本発明を詳細に説明する。
図１は、トイレブースに適用した本発明に係る扉の指詰め防止構造の一例を示す図であり、（ａ）は、扉を開いた状態の模式的な平面図であり、（ｂ）は、扉を閉じた状態の模式的な平面図である。図２は、図１で示した扉の指詰め防止構造に使用した長尺弾性部材の部分斜視図であり、図３の（ａ）、（ｂ）は、長尺弾性部材の別の態様を示す断面図である。
【０００９】
図１の（ａ）、（ｂ）に示すように、本発明の扉の指詰め防止構造が施されたトイレブースは、扉１と仕切パネル２からなり、扉１と仕切パネル２は、それぞれ、上方側と下方側の２箇所、または中央部を含めて３箇所で固定されたヒンジ３で回動自在に連結され、扉１を閉めた際、扉１の取付側縁部４と仕切パネル２の扉取付面側縁部５との間に、間隙６が形成される扉の開閉構造を有している。
【００１０】
本発明の指詰め防止構造では、指を挟んだまま、扉１を閉じても、指を傷付けないようにするため、扉１と仕切パネル２との間に設ける間隙６は、指の厚みよりも大きい、１０ｍｍ〜３０ｍｍ、特には、２０ｍｍ〜２５ｍｍが好ましい。
【００１１】
本発明の扉の指詰め防止構造では、このような扉１の開閉構造にある、扉１の取付側縁部４と、この取付側縁部４と対向する仕切パネル２の扉取付面側縁部５に、長尺弾性部材７、７'が、それぞれ上下方向に取付け固定されている。
この長尺弾性部材７は、図２に示すように、断面形状が略三角形の長尺部材であって、取付基部となる一辺ａの中央の長手方向に、台部８が一体に形成され、この台部８を挟んで一辺ａの両端部には、突出片９、９'が形成されている。また、他辺ｂの延長上には、斜辺ｃ側に折曲した鉤状の先端部１０が形成されている。
【００１２】
長尺弾性部材７の一辺ａにある台部８は、取付けの際、扉１の取付側縁部４および仕切パネル２の扉取付面側縁部５に予め形成された取付凹部１１、１１'に、嵌合できるサイズに形成されている。また、長尺弾性部材７、７'の取付基部となる一辺ａの長さは、扉１および仕切パネル２の厚みと略同じに形成すると、見栄えや取付け強度の点からも好ましいが、これに限定されるものではなく、使用する扉および仕切パネルの厚さに応じて、種々選択使用すればよい。
【００１３】
長尺弾性部材７、７'は、その取付基部となる一辺ａにある台部８を、扉１の取付側縁部４および仕切パネル２の扉取付面側縁部５に、予め形成した取付凹部１１、１１'に嵌合させ、接着一体化して取付け固定する。なお、接着剤に代えてビス止め固定してもよい。図１の符号１２は、接着層を表している。
固定された長尺弾性部材７、７'は、その突出片９、９'が、扉１や仕切パネル２の端部を挟み込むように取付けられるので見栄えや安全の点で優れている。
また、扉１の取付側縁部４および仕切パネル２の扉取付面側縁部５に、取付凹部１１、１１'を形成せずに平面とし、台部８のない長尺弾性部材７、７'の一辺ａを、直接、仕切パネル２の扉取付面側縁部５に接着もしくはビス止めにより取付け固定することもできる。さらに、長尺弾性部材７、７'は、その取付基部となる一辺ａの両端を平坦にして、突出片９、９'を設けない形状のものも採用できる。
【００１４】
長尺弾性部材は、扉１および仕切パネル２への取付けに際し、取付後の長尺弾性部材７、７'が、相互に対称状に対向して取付けられる。
すなわち、図１（ａ）に示すように、扉１の取付側縁部４と仕切パネル２の扉取付面側縁部５に、それぞれ取付けた長尺弾性部材７、７'が、扉１を閉めた状態で、扉１と仕切パネル２が同一線上にある場合に、他辺ｂ、ｂ'同士が、平行になるように取り付けるのが好ましい［図１（ｂ）］。
【００１５】
また、取付けに際しては、扉１を閉めた状態で、扉１および仕切パネル２に相互に対向状に取付けられた長尺弾性部材７、７'の先端部を形成する、鉤状の先端部１０、１０'および斜辺ｃ、ｃ'が、互いに接触しない程度の隙間１３を設ける。
このように、扉１を閉めた状態で、長尺弾性部材７、７'の取付基部から延びる他辺ｂ、ｂ'同士が、組合せ状に平行で、かつ対向する長尺弾性部材７、７'の先端部を非接触状態にすることによって、長尺弾性部材７、７'間に生じる隙間１３は、扉の内外から相互に見通すことのできない構造とすることができる。
【００１６】
本発明の長尺弾性部材７は、扉１および仕切パネル２に相互に対向状に取付けられた長尺弾性部材７、７'の先端部間に指を挟んで、扉を閉じた状態であっても、指を傷つけることのない弾力性を有する材料および構造で形成される。
このような弾力性を有する部材としては、塩化ビニル等の軟質合成樹脂や軟質合成ゴム、エラストマー等が挙げられる。
【００１７】
また、長尺弾性部材７は、弾力性をさらに向上させるために、図２に示すように、一辺ａと他辺ｂおよび斜辺ｃで囲まれた部分に、長さ方向に連通する空洞部ｄを設けるようにするとよい。
長尺弾性部材７に空洞部ｄを設けると、弾力性が向上するだけでなく、長尺弾性部材７自体の軽量化とコストの軽減も図れるので好都合である。
なお、本発明の長尺弾性部材７は、空洞部ｄを設ける代わりに、内部が発泡体からなる樹脂もしくはゴム製材料のものを使用して、弾力性を向上させるようにすることもできる。
【００１８】
長尺弾性部材７、７'は、図１〜図２に示した断面形状を有するものの他、例えば、図３（ａ）、（ｂ）に示す断面形状のものも採用できる。
図３（ａ）に示す長尺弾性部材は、扉の取付側縁部と仕切パネルの扉取付面に、接着固定された取付基部から舌辺状に伸びた先端部を有すると共に、取付基部から先端部にかけて空洞部１４が形成されている。
【００１９】
また、図３（ｂ）に示す長尺弾性部材は、断面がＬ字状に形成されたもので、
扉の取付側縁部と仕切パネルの扉取付面に、互いに対称となるように接着又はビス止め固定された構造である。
これらの長尺弾性部材は、いずれも、扉と仕切パネルの扉取付面に取付けられて、扉を閉めた状態で、扉と仕切パネル間に、指を挟んでも傷付けることがなく、また、扉の内外から相互に見通す隙間のない形状である。このような形状であれば、長尺弾性部材７、７'は、図１〜３で示したような、同形のものを組合せる必要はなく、異形のものを組合せるようにしてもよい。
【００２０】
さらに、長尺弾性部材は、扉や扉取付面に当接する取付基部を硬質材料で形成し、取付基部から先端部にかけてを軟質材料で一体に成形すると、扉や扉取付面との接着等による固定がより強固になるので好ましい。
【産業上の利用可能性】
【００２１】
本発明の扉の指詰め防止構造は、トイレブース等の各種ブースに限らず、指詰め事故を起こす可能性のあるあらゆる種類の扉の開閉構造に利用できる。
【図面の簡単な説明】
【００２２】
【図１】トイレブースに適用した本発明に係る扉の指詰め防止構造の一例を示す図であり、（ａ）は、扉を開いた状態の模式的な平面図であり、（ｂ）は、扉を閉じた状態の模式的な平面図である。
【図２】図１で示した扉の指詰め防止構造に使用した長尺弾性部材の部分斜視図である。
【図３】（ａ）〜（ｂ）は、長尺弾性部材の別の態様を示す断面図である。
【図４】従来のトイレブースに使用される、代表的な扉の開閉構造の一例を示す模式的な平面図である。
【符号の説明】
【００２３】
１、２１  扉
２、２２  仕切パネル
３、２３  ヒンジ
４  （扉の）取付側縁部
５  （仕切パネルの）扉取付面側縁部
６、２６、２６'  間隙  
７、７'  長尺弾性部材
８  台部
９、９'  突出片
１０、１０'  鉤状の先端部
１１、１１'  取付凹部
１２  接着層
１３  隙間
１４、ｄ  （長尺弾性部材の）空洞部
ａ、ａ'  （長尺弾性部材の）一辺
ｂ、ｂ'  （長尺弾性部材の）他辺
ｃ、ｃ'  （長尺弾性部材の）斜辺
【図１】
2007085097.tif 000003
【図２】
2007085097.tif 000004
【図３】
2007085097.tif 000005
【図４】
2007085097.tif 000006